(57)【要約】【課題】自動料金収受システム（ＥＴＣ）の入口システムが車載器から車載器固有情報を読み出せなくても、正しい車載器固有情報を、車載器にセットされて利用される記憶媒体に書き込むことができる簡易入口書込装置及び簡易入口書込プログラムを提供することを目的とする。【解決手段】簡易入口書込装置１３であって、車載器固有情報と、車載器固有情報の車載器を備える車両３１の車両固有情報とを対応付けて管理するデータベースを参照し、車両３１のナンバープレートから車両固有情報を読み取る読取手段１１，１６により読み取られた車両固有情報と対応する車載器固有情報を取得する取得手段と、取得手段により取得した車載器固有情報と、予め記憶している入口固有情報とを含む情報を、自動料金収受システムで車載器にセットされて利用される記憶媒体４５に書き込む書込手段とを有することにより上記課題を解決する。【選択図】図６
2009211608.tif 000002
【特許請求の範囲】
【請求項１】
自動料金収受システム（ＥＴＣ）の簡易入口書込装置であって、
車載器固有情報と、前記車載器固有情報の車載器を備える車両の車両固有情報とを対応付けて管理するデータベースを参照し、車両のナンバープレートから車両固有情報を読み取る読取手段により読み取られた車両固有情報と対応する車載器固有情報を取得する取得手段と、
前記取得手段により取得した車載器固有情報と、予め記憶している入口固有情報とを含む情報を、自動料金収受システムで車載器にセットされて利用される記憶媒体に書き込む書込手段と
を有する簡易入口書込装置。
【請求項２】
前記取得手段は、車載器固有情報と、前記車載器固有情報の車載器を備える車両の車両固有情報及び車種情報とを対応付けて管理するデータベースを参照し、前記読取手段により読み取られた車両固有情報と対応する車載器固有情報及び車種情報を取得し、
前記書込手段は、前記取得手段により取得した車載器固有情報及び車種情報と、予め記憶している入口固有情報とを含む情報を、前記記憶媒体に書き込む請求項１記載の簡易入口書込装置。
【請求項３】
自動料金収受システム（ＥＴＣ）の簡易入口書込装置を、
車載器固有情報と、前記車載器固有情報の車載器を備える車両の車両固有情報とを対応付けて管理するデータベースを参照し、車両のナンバープレートから車両固有情報を読み取る読取手段により読み取られた車両固有情報と対応する車載器固有情報を取得する取得手段と、
前記取得手段により取得した車載器固有情報と、予め記憶している入口固有情報とを含む情報を、自動料金収受システムで車載器にセットされて利用される記憶媒体に書き込む書込手段と
して機能させるための簡易入口書込プログラム。
【発明の詳細な説明】
【技術分野】
【０００１】
本発明は、簡易入口書込装置及び簡易入口書込プログラムに係り、特に自動料金収受システム（Electronic Toll Collection System：ＥＴＣ）の簡易入口書込装置及び簡易入口書込プログラムに関する。
【背景技術】
【０００２】
有料道路の自動料金収受システムであるＥＴＣは、有料道路を利用する際、自動車等の車両が備えたＥＴＣ車載器（以下、単に車載器という）とＥＴＣカードとによって料金の支払いを自動的に行うものである。
【０００３】
有料道路への入口に設置されるＥＴＣの入口システムは車両に備えられた車載器との間で無線通信を行い、車載器から取得した各種情報を元に入口でＥＴＣカードに書き込むべき情報を生成し、車載器にセットされているＥＴＣカードに書き込む。そして、有料道路からの出口に設置されるＥＴＣの出口システムは車両に備えられた車載器との間で無線通信を行い、車載器にセットされたＥＴＣカードに書き込まれている情報に基づいて料金の精算処理を行う。従って、ＥＴＣでは入口システムにおいて正しい情報がＥＴＣカードに書き込まれていなければ出口システムにおいてエラーとなる。
【０００４】
例えばＥＴＣ専用入口レーンやＥＴＣ兼用入口レーン等のＥＴＣ入口レーンでの点検や工事等により進入不可の場合や、ＥＴＣの入口システムの障害等により入口システムが動作不可の場合、ＥＴＣ入口レーンは閉鎖される。ＥＴＣ入口レーンが閉鎖されると、車載器を備えた車両は有料道路への入口でＥＴＣカードに書き込むべき情報をＥＴＣカードに書き込むことができない。つまり、車載器を備えた車両の利用者は料金の支払いを自動的に行うことができず、不便が生じる。有料道路からの出口での不便を解消する為には何らかの手段により車載器に記憶されている情報を取得し、取得した各種情報を元に入口でＥＴＣカードに書き込むべき情報を生成し、車載器にセットするＥＴＣカードに書き込む必要があった。
【０００５】
例えばＥＴＣ入口レーンが閉鎖されると、従来はＥＴＣ入口レーンから離れた事務所内の処理機等により、人手を介して、有料道路への入口でＥＴＣカードに書き込むべき情報をＥＴＣカードに書き込んでいた（例えば特許文献１参照）。
【特許文献１】特開２００２−２７９４６１号公報
【発明の開示】
【発明が解決しようとする課題】
【０００６】
ＥＴＣカードには、利用履歴データとして、入口ＩＤ，出口ＩＤ，課金額，車種，ナンバー及び車載器ＩＤが記憶されている。事務所内の処理機等により、有料道路への入口でＥＴＣカードに書き込むべき情報をＥＴＣカードに書き込む場合は、利用履歴データに記憶されている車載器ＩＤを参照し、入口でＥＴＣカードに書き込むべき情報を生成し、車載器にセットするＥＴＣカードに書き込んでいた。
【０００７】
しかしながら、ＥＴＣカードは車載器への着脱が可能であるため、前回、有料道路を利用したときと異なる車両が備えた異なる車載器にセットされている可能性もある。ＥＴＣカードが異なる車載器にセットされている場合は、利用履歴データに記憶されている車載器ＩＤを参照すると、前回、有料道路を利用したときの異なる車載器の車載器ＩＤを参照してしまうことになる。
【０００８】
ＥＴＣの出口システムでは、現在、ＥＴＣカードがセットされている車載器の車載器ＩＤとＥＴＣカードに書き込まれている車載器ＩＤとが同一である必要があり、現在、ＥＴＣカードがセットされている車載器の車載器ＩＤと、ＥＴＣカードに書き込まれている車載器ＩＤとが照合される。
【０００９】
上記のように、ＥＴＣカードが異なる車載器にセットされている場合は利用履歴データに記憶されている車載器ＩＤを参照すると、現在、ＥＴＣカードがセットされている車載器の車載器ＩＤとＥＴＣカードに書き込まれている車載器ＩＤとの照合がとれない為、エラーとなってしまうという問題があった。
【００１０】
本発明の一実施形態は、上記の点に鑑みなされたもので、自動料金収受システムの入口システムが車載器から車載器固有情報を読み出せなくても、正しい車載器固有情報を、車載器にセットされて利用される記憶媒体に書き込むことができる簡易入口書込装置及び簡易入口書込プログラムを提供することを目的とする。
【課題を解決するための手段】
【００１１】
上記課題を解決するため、本発明の一実施形態は、自動料金収受システムの簡易入口書込装置であって、車載器固有情報と、前記車載器固有情報の車載器を備える車両の車両固有情報とを対応付けて管理するデータベースを参照し、車両のナンバープレートから車両固有情報を読み取る読取手段により読み取られた車両固有情報と対応する車載器固有情報を取得する取得手段と、前記取得手段により取得した車載器固有情報と、予め記憶している入口固有情報とを含む情報を、自動料金収受システムで車載器にセットされて利用される記憶媒体に書き込む書込手段とを有することを特徴とする。
【００１２】
なお、本発明の一実施形態の構成要素、表現または構成要素の任意の組合せを、方法、装置、システム、コンピュータプログラム、記録媒体、データ構造などに適用したものも本発明の態様として有効である。
【発明の効果】
【００１３】
上述の如く、本発明の一実施形態によれば、自動料金収受システムの入口システムが車載器から車載器固有情報を読み出せなくても、正しい車載器固有情報を、車載器にセットされて利用される記憶媒体に書き込むことができる簡易入口書込装置及び簡易入口書込プログラムを提供可能である。
【発明を実施するための最良の形態】
【００１４】
次に、本発明を実施するための最良の形態を、以下の実施例に基づき図面を参照しつつ説明していく。なお、以下の実施例ではＥＴＣ入口レーンが閉鎖されており、車載器を備えた車両であっても一般入口レーンに進入するものとする。
【００１５】
図１は本実施例の簡易入口書込装置を含むシステムの一例の構成図である。図１のシステム１は、車種判定装置１０，画像処理装置１１，セキュリティ処理装置１２，簡易入口書込装置１３，管理サーバ１４，ＬＡＮ等のコンピュータネットワーク１５，カメラ１６を有する構成である。
【００１６】
車種判定装置１０，画像処理装置１１，セキュリティ処理装置１２，簡易入口書込装置１３，管理サーバ１４は、コンピュータネットワーク１５を介してデータ通信可能に接続されている。カメラ１６は画像処理装置１１に接続されている。なお、画像処理装置１１はカメラ１６に内蔵された形態であってもよい。
【００１７】
車種判定装置１０は一般入口レーンに進入してきた車両の車種を判定し、簡易入口書込装置１３に通知するものである。カメラ１６は、一般入口レーンに進入してきた車両のナンバープレートを撮影し、撮影画像を画像処理装置１１に送信するものである。画像処理装置１１はカメラ１６から受信した撮影画像を画像処理し、車両固有情報の一例としてのナンバープレート情報（登録番号）を認識して、簡易入口書込装置１３へ送信するものである。
【００１８】
セキュリティ処理装置１２は簡易入口書込装置１３から受信するＥＴＣカードＩＤから利用可能なＥＴＣカードか否かを判断し、利用可能なＥＴＣカードであれば入口固有情報の一例としての入口ＩＤを簡易入口書込装置１３に送信するものである。ＥＴＣカードは車載器にセットされて利用される記憶媒体の一例である。セキュリティ処理装置１２はＥＴＣカードに記憶されている暗号データを復号し、ＥＴＣカードに記憶する平文を暗号化する。
【００１９】
簡易入口書込装置１３はＥＴＣカードを情報の読み出し又は書き込み可能にセットするＥＴＣカードリーダ／ライタ（ＥＴＣカードＲ／Ｗ）を有する。なお、簡易入口書込装置１３は、別筐体のＥＴＣカードＲ／Ｗを、ＵＳＢ等のインターフェースで接続した形態であってもよい。簡易入口書込装置１３は一般入口レーンの路側に設置等される。
【００２０】
簡易入口書込装置１３は、一般入口レーンに進入してきた車両の利用者によってＥＴＣカードがＥＴＣカードＲ／Ｗにセットされると、ＥＴＣカードからＥＴＣカードＩＤを読み出してセキュリティ処理装置１２に送信する。また、簡易入口書込装置１３は画像処理装置１１から受信したナンバープレート情報を管理サーバ１４に送信する。
【００２１】
管理サーバ１４は車両が備える車載器の車載器ＩＤと、その車両のナンバープレート情報とを対応付けて管理するデータベースである。管理サーバ１４には、例えば車両に車載器を取り付ける時に、車両のナンバープレート情報と車載器の車載器ＩＤとが対応付けられて登録される。したがって、簡易入口書込装置１３が管理サーバ１４から受信する車載器ＩＤは、利用履歴データに記憶されている車載器ＩＤに関わらず、現在、ＥＴＣカードがセットされている車載器の車載器ＩＤとなる。
【００２２】
簡易入口書込装置１３は、管理サーバ１４からナンバープレート情報に対応する車載器固有情報の一例としての車載器ＩＤを受信する。簡易入口書込装置１３は、車種，入口ＩＤ及び車載器ＩＤから、有料道路の入口でＥＴＣカードに書き込むべき情報を生成し、セキュリティ処理装置１２で暗号化してＥＴＣカードに書き込む。
【００２３】
一般入口レーンに進入してきた車両の利用者は、ＥＴＣカードＲ／ＷからＥＴＣカードを取り出して、入口で書き込むべき情報が書き込まれたＥＴＣカードを車載器にセットすることにより、ＥＴＣ出口レーンで、現在、ＥＴＣカードがセットされている車載器の車載器ＩＤとＥＴＣカードに書き込まれている車載器ＩＤとの照合がとれる為、エラーとならない。
【００２４】
なお、図１のシステム１では、車種判定装置１０，画像処理装置１１，セキュリティ処理装置１２，簡易入口書込装置１３を別々の装置としているが、車種判定装置１０，画像処理装置１１，セキュリティ処理装置１２，簡易入口書込装置１３の一部又は全部を組み合わせて一つの装置（例えばパーソナルコンピュータ）で実現してもよい。
【００２５】
図２は簡易入口書込装置の一例のハードウェア構成図である。図２の簡易入口書込装置１３は、それぞれバスＢで相互に接続されている入力装置２１，出力装置２２，ドライブ装置２３，補助記憶装置２４，主記憶装置２５，演算処理装置２６，インターフェース装置２７，ＥＴＣカードＲ／Ｗ２８を有するように構成される。
【００２６】
入力装置２１はキーボードやマウスなどで構成され、各種信号を入力するために用いられる。出力装置２２はディスプレイ装置などで構成され、各種ウインドウやデータ等を表示するために用いられる。インターフェース装置２７は、モデム，ＬＡＮカードなどで構成されており、コンピュータネットワーク１５に接続する為に用いられる。ＥＴＣカードＲ／Ｗ２８は、ＥＴＣカードを情報の読み出し又は書き込み可能にセットする為に用いられる。
【００２７】
本実施例の簡易入口書込プログラムは、簡易入口書込装置１３を制御する各種プログラムの少なくとも一部である。簡易入口書込プログラムは例えば記録媒体２９の配布やコンピュータネットワーク１５からのダウンロードなどによって提供される。
【００２８】
簡易入口書込プログラムを記録した記録媒体２９はＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２９】
また、簡易入口書込プログラムを記録した記録媒体２９がドライブ装置２３にセットされると、簡易入口書込プログラムは記録媒体２９からドライブ装置２３を介して補助記憶装置２４にインストールされる。コンピュータネットワーク１５からダウンロードされた簡易入口書込プログラムは、インターフェース装置２７を介して補助記憶装置２４にインストールされる。補助記憶装置２４は、インストールされた簡易入口書込プログラムを格納すると共に、必要なファイル，データ等を格納する。
【００３０】
主記憶装置２５は、起動時に補助記憶装置２４から簡易入口書込プログラムを読み出して格納する。そして、演算処理装置２６は主記憶装置２５に格納された簡易入口書込プログラムに従って、後述するような各種処理を実現している。
【００３１】
図３は本実施例の簡易入口書込装置を含むシステムの動作を示す一例のフローチャートである。図４は本実施例の簡易入口書込装置を含むシステムにおいて車種及び車載器ＩＤが簡易入口書込装置に送信される動作を示す一例の模式図である。
【００３２】
一般入口レーンに車両３１が進入してくると、車種判定装置１０の車種判定部３５はステップＳ１に進み、赤外センサ（発光器）３２，赤外センサ（受光器）３３及び踏み板３４による測定結果の信号を受信し、車両３１の車種を判定する。赤外センサ（発光器）３２及び赤外センサ（受光器）３３は、車両３１の大きさを測定する為のものである。踏み板３４は車両３１の車軸の数を測定する為のものである。車種判定部３５が判定する車種は料金の支払いに利用する車種（大型、普通、小型など）である。車種判定部３５は判定した車両３１の車種を簡易入口書込装置１３のインターフェース部３８に送信する。
【００３３】
また、一般入口レーンに車両３１が進入してくると、ステップＳ２に進み、カメラ１６は車両３１のナンバープレートを撮影し、撮影画像を画像処理装置１１の画像前処理部３６へ送信する。ステップＳ３に進み、画像前処理部３６は受信した撮影画像のナンバープレート領域を抽出し、Ａ／Ｄ変換を行う。
【００３４】
ステップＳ４に進み、認識処理部３７は辞書画像とのテンプレートマッチングを行って陸支コード等のナンバープレート情報（登録番号）を認識し、ナンバープレート情報を簡易入口書込装置１３の通信部４０に送信する。通信部４０は例えばＦＯＭＡ（登録商標）等の通信網を使用し、ナンバープレート情報を管理サーバ１４へ送信する。
【００３５】
ステップＳ６に進み、管理サーバ１４は車両３１が備える車載器の車載器ＩＤと、その車両３１のナンバープレート情報とを対応付けて管理するデータベースを検索し、通信部４０から受信したナンバープレート情報に対応する車載器ＩＤを抽出し、その車載器ＩＤを通信部４０に送信する。ステップＳ７に進み、通信部４０は管理サーバ１４から受信した車載器ＩＤをインターフェース部３８へ送信する。
【００３６】
図５は本実施例の簡易入口書込装置を含むシステムにおいて入口ＩＤが簡易入口書込装置に送信される動作を示す一例の模式図である。ステップＳ８に進み、一般入口レーンに進入した車両３１の利用者は、路側に設置されている簡易入口書込装置１３の側に車両３１を停車させる。利用者は、車載器からＥＴＣカード４５を抜き出し、そのＥＴＣカード４５をＥＴＣカードＲ／Ｗ４１にセット（挿入）する。
【００３７】
ＥＴＣカード４５がセットされると、ＥＴＣカードＲ／Ｗ４１はＥＴＣカード４５から暗号化された暗号データとして読み出し、簡易入口書込装置１３のインターフェース部３８へ送信する。
【００３８】
ステップＳ９に進み、インターフェース部３８は、ＥＴＣカード４５から読み出した暗号データをセキュリティ処理装置１２の暗号処理部４２へ送信する。暗号データを受信すると、暗号処理部４２はステップＳ１０に進み、暗号データを復号（解読）して、ＥＴＣカードＩＤをネガチェック部４３へ送信する。
【００３９】
ステップＳ１１に進み、ネガチェック部４３は、例えば料金滞納などで利用不能なＥＴＣカードが登録されているネガティブリストに、インターフェース部３８から受信したＥＴＣカードＩＤが登録されているかを照会する。
【００４０】
もし、インターフェース部３８から受信したＥＴＣカードＩＤがネガティブリストに登録されていれば、ネガチェック部４３はステップＳ１３に進み、入口ＩＤの発行が認められないため、情報処理部４４経由で磁気カード発行部（図示せず）に磁気カードを発行させる。
【００４１】
一般入口レーンに進入してきた車両３１の利用者は、ＥＴＣカードＲ／Ｗ４１からＥＴＣカード３１を取り出すと共に、発行された磁気カードを受け取って、一般入口レーンを退出する。磁気カードを受け取った車両３１の利用者は、ＥＴＣ出口レーンではなく一般出口レーンを利用する必要がある。
【００４２】
インターフェース部３８から受信したＥＴＣカードＩＤがネガティブリストに登録されていなければ、ネガチェック部４３は、情報処理部４４へ入口ＩＤの発行が認められる旨を通知する。情報処理部４４はステップＳ１２に進み、入口ＩＤを簡易入口書込装置１３のインターフェース部３８へ送信する。
【００４３】
図６は、本実施例の簡易入口書込装置を含むシステムにおいて、有料道路の入口でＥＴＣカードに書き込むべき情報を生成し、セキュリティ処理装置で暗号化してＥＴＣカードに書き込む動作を示す一例の模式図である。
【００４４】
簡易入口書込装置１３のインターフェース部３８は車種，入口ＩＤ及び車載器ＩＤを受信すると、車種，入口ＩＤ及び車載器ＩＤをデータ生成部３９に送信する。車種，入口ＩＤ及び車載器ＩＤを受信すると、データ生成部３９はステップＳ１４に進み、車種，入口ＩＤ，車載器ＩＤ及び処理時刻を規定のフォーマットに変換し、セキュリティ処理装置１２の暗号処理部４２へ送信する。
【００４５】
ステップＳ１５に進み、セキュリティ処理装置１２の暗号処理部４２は、簡易入口書込装置１３のデータ生成部３９から受信した、規定のフォーマットに変換された車種，入口ＩＤ，車載器ＩＤ及び処理時刻を暗号化し、その暗号データを簡易入口書込装置１３のインターフェース部３８へ送信する。
【００４６】
ステップＳ１６に進み、インターフェース部３８は受信した暗号データをＥＴＣカードＲ／Ｗ４１に送信する。ＥＴＣカードＲ／Ｗ４１は受信した暗号データを、有料道路の入口でＥＴＣカード４５に書き込むべき情報としてＥＴＣカード４５へ書き込む。ステップＳ１７に進み、一般入口レーンに進入してきた車両３１の利用者は、ＥＴＣカードＲ／Ｗ４１からＥＴＣカード４５を取り出し、車載器にセットしたあと、一般入口レーンを退出する。車載器にセットされたＥＴＣカード４５には、現在、ＥＴＣカード４５がセットされている車載器の車載器ＩＤと同じ車載器ＩＤが書き込まれている為、ＥＴＣ出口レーンでエラーとならない。言い換えれば、ＥＴＣカード４５を車載器にセットした車両３１の利用者は一般出口レーンではなくＥＴＣ出口レーンを利用できる。
【００４７】
なお、本実施例では車種を車種判定装置１０から取得する例を説明したが、車載器ＩＤと共に管理サーバ１４から取得する構成も可能である。上記した本実施例によれば、ＥＴＣ入口レーンが閉鎖されていたとしても、一般入口レーンで、車両３１が備える車載器の車載器ＩＤが、車載器にセットされているＥＴＣカード４５に書き込まれるため、ＥＴＣ出口レーンでエラーとならず、ＥＴＣサービスの向上を図れる。
【００４８】
本発明は、以下に記載する付記のような構成が考えられる。
（付記１）
自動料金収受システム（ＥＴＣ）の簡易入口書込装置であって、
車載器固有情報と、前記車載器固有情報の車載器を備える車両の車両固有情報とを対応付けて管理するデータベースを参照し、車両のナンバープレートから車両固有情報を読み取る読取手段により読み取られた車両固有情報と対応する車載器固有情報を取得する取得手段と、
前記取得手段により取得した車載器固有情報と、予め記憶している入口固有情報とを含む情報を、自動料金収受システムで車載器にセットされて利用される記憶媒体に書き込む書込手段と
を有する簡易入口書込装置。
（付記２）
前記取得手段は、車載器固有情報と、前記車載器固有情報の車載器を備える車両の車両固有情報及び車種情報とを対応付けて管理するデータベースを参照し、前記読取手段により読み取られた車両固有情報と対応する車載器固有情報及び車種情報を取得し、
前記書込手段は、前記取得手段により取得した車載器固有情報及び車種情報と、予め記憶している入口固有情報とを含む情報を、前記記憶媒体に書き込む付記１記載の簡易入口書込装置。
（付記３）
前記簡易入口書込装置は、自動料金収受システム入口レーン以外の一般入口レーンの路側に設置される付記１又は２記載の簡易入口書込装置。
（付記４）
車両のナンバープレートから車両固有情報を読み取る読取手段と、
前記記憶媒体から読み出された記憶媒体固有情報に基づいて前記記憶媒体の利用可否を判定し、前記記憶媒体の利用が可能であれば入口固有情報を出力するセキュリティ処理手段と
を更に有する付記１乃至３何れか一項記載の簡易入口書込装置。
（付記５）
自動料金収受システム（ＥＴＣ）の簡易入口書込装置を、
車載器固有情報と、前記車載器固有情報の車載器を備える車両の車両固有情報とを対応付けて管理するデータベースを参照し、車両のナンバープレートから車両固有情報を読み取る読取手段により読み取られた車両固有情報と対応する車載器固有情報を取得する取得手段と、
前記取得手段により取得した車載器固有情報と、予め記憶している入口固有情報とを含む情報を、自動料金収受システムで車載器にセットされて利用される記憶媒体に書き込む書込手段と
して機能させるための簡易入口書込プログラム。
本発明は、具体的に開示された実施例に限定されるものではなく、特許請求の範囲から逸脱することなく、種々の変形や変更が可能である。
【図面の簡単な説明】
【００４９】
【図１】本実施例の簡易入口書込装置を含むシステムの一例の構成図である。
【図２】簡易入口書込装置の一例のハードウェア構成図である。
【図３】本実施例の簡易入口書込装置を含むシステムの動作を示す一例のフローチャートである。
【図４】本実施例の簡易入口書込装置を含むシステムにおいて車種及び車載器ＩＤが簡易入口書込装置に送信される動作を示す一例の模式図である。
【図５】本実施例の簡易入口書込装置を含むシステムにおいて入口ＩＤが簡易入口書込装置に送信される動作を示す一例の模式図である。
【図６】本実施例の簡易入口書込装置を含むシステムにおいて、有料道路の入口でＥＴＣカードに書き込むべき情報を生成し、セキュリティ処理装置で暗号化してＥＴＣカードに書き込む動作を示す一例の模式図である。
【符号の説明】
【００５０】
１    システム
１０    車種判定装置
１１    画像処理装置
１２    セキュリティ処理装置
１３    簡易入口書込装置
１４    管理サーバ
１５    コンピュータネットワーク
１６    カメラ
２１    入力装置
２２    出力装置
２３    ドライブ装置
２４    補助記憶装置
２５    主記憶装置
２６    演算処理装置
２７    インターフェース装置
２８    ＥＴＣカードＲ／Ｗ
２９    記録媒体
３１    車両
３２    赤外センサ（発光器）
３３    赤外センサ（受光器）
３４    踏み板
３５    車種判定部
３６    画像前処理部
３７    認識処理部
３８    インターフェース部
３９    データ生成部
４０    通信部
４１    ＥＴＣカードＲ／Ｗ
４２    暗号処理部
４３    ネガチェック部
４４    情報処理部
４５    ＥＴＣカード
【図１】
2009211608.tif 000003
【図２】
2009211608.tif 000004
【図３】
2009211608.tif 000005
【図４】
2009211608.tif 000006
【図５】
2009211608.tif 000007
【図６】
2009211608.tif 000008